(57)【特許請求の範囲】
【請求項１】
箱形を呈する台座には、この台座の一組の側面に、それぞれ形成した隙間と、この各隙間の内側面に、それぞれ開設した開口とを設ける構成とし、また、この台座の被嵌用の空間を備えた方形状の外ケースには、この方形状の一組の側面の下側に、それぞれ折曲げ延設した折曲片とを設ける構成とし、
この各折曲片を前記各開口に挿入して係止するとともに、この折曲片の内方側への折曲弾性と、前記台座の内側面の外方側への折曲弾性とを利用し、この折曲片とこの台座の内側面との係止関係を確保可能としたことを特徴とする組立式商品ケース。
【請求項２】
請求項１に記載の組立式商品ケースであって、
前記台座に形成される各隙間は、左右内外側面で形成し、かつこの左右内側面に対して、この左右外側面が、端尺形態として、前記外ケースの左右折曲片の挿入を許す、口部空間が形状されることを特徴とする組立式商品ケース。
【請求項３】
請求項１に記載の組立式商品ケースであって、
前記外ケースに折曲げ形成された折曲片は、この外ケースの下側を開口すると共に、この開口の一部を残した延設端部を利用し、この延設端部を折曲げて形成したことを特徴とする組立式商品ケース。
【請求項４】
請求項３に記載の組立式商品ケースであって、
前記開口の一部を残した延設端部は、この開口の左右側面に形成し、かつこの開口端部より内側で折曲げ形成するとともに、この左右側面の面方向の幅の一部に形成することを特徴とする組立式商品ケース。
【請求項５】
請求項１に記載の組立式商品ケースであって、
前記台座は、紙製品で、また、前記外ケースを透明樹脂製品で構成したことを特徴とする組立式商品ケース。
【発明の詳細な説明】
【技術分野】
【０００１】
本発明は、組立式商品ケースであって、例えば、フラワーケース、人形ケース、プラモデルケース、その他の商品ケースに関する。
【背景技術】
【０００２】
従来、前記組立式の各商品ケースであって、例えば、フラワーケースでは、図９に関する構造が好まれている。この構造が、本出願人が創作し、市場に提供している定番で、かつ人気を博しているフラワーケース（定番商品とする）である。
【０００３】
そこで、この定番商品は、図９に示した構造であり、その概要は、アレンジした花（フラワーとする）の花器をセットできる器用の穴と、この花器を弾性的に支持する切欠片とで構成した紙製の台座と、この台座とフラワーを収容する組立式で、かつ蓋付の透明外ケースとで構成する。このフラワーを、台座と外ケースを利用して収容する所作を説明すると、台座と、外ケースとをそれぞれ組立てた後、台座の穴と切欠片とを利用し、この台座に花器とフラワーをセットする。セットされた台座付きフラワーを、外ケースの上部の蓋から入れ込み、その底部に終了して終了が完了し、その後に上部の蓋をしめて完了である。しかし、このセットと収容はことのほか厄介である。即ち、アレンジした花を台座にセットし、外ケースに入れる際、両手で台座の底を持ったままで、かつ少しずつ外ケースの中に入れていき、ある程度まで入ったら両手が邪魔となり、両手を離さなければ、フラワーが不安定となる。また、手を抜く際に、この手がフラワーに触れ、形状が悪くなること（変形すること）、場合により破損すること等が間々あり、問題である。そして、この変形の修正には、手間と経験が要すること、或いは修正ができないこと等の問題がある。さらに、もう一つの問題は、台座と花器とがかみ合った状態において、このフラワーを輸送中に、振動で台座と、花器及びフラワーが上部に持ち上がることがあり、最終的には、フラワーが外ケースの天面に当たり、変形すること、又は破損する等の最悪の状態が発生することがある。
【０００４】
そこで、フラワーケースに関する先行文献を、下記に示す。
【０００５】
文献（１）は、特開２００５−３１３９２９の「花卉輸送用のバケット固定材」であって、一面開放の外箱に、バケット固定材（花器支持材）を収容するとともに、この収容時に、バケット固定材の一方の脚板と、外箱に設けた切込部とを係止し、この係止を、他の脚板の反発力を利用することで達成し、このバケット固定材を安定的に支持、収容する。また、このバケット固定材には、花器の底部掛止用の穴を備えた基板と、花器の鍔部掛止用の係合穴を有する側板を設けた構造である。従って、花卉輸送中に、外箱に収容された、花卉とバケット固定材が移動せず、かつ飛び上がることが回避できる特徴がある。この発明は、花卉輸送中のトラブル解消であり、陳列用のフラワーケースとしての役割を有さない。また、外箱とバケット固定材は、一方のみの係止であり、相互に安定した係止構造とは考えられない。等の改良点がある。
【０００６】
また、文献（２）は、特開２００７−２０４１２８の「切り花用の包装ケース」であって、包装ケース本体に設けた対の係止片を利用して、ホルダーを設置する構造とし、このホルダーには、切り花用の差込み口を設けるとともに、貯水体を設けた構成であり、切り花を収容しつつ、水漏れ回避ができる構造を提案する。しかし、この発明は、切り花の持運びのトラブル解消と、貯水量の確保であり、陳列用のフラワーケースとしての役割を有さない。また、この包装ケース本体は上部が開放であり、陳列用のフラワーケースには不向きと考えられる。
【０００７】
さらに、文献（３）は、実開平４−８６７１５号の「切花の包装箱」であり、組立式の箱体を、組立式の外箱に収容可能とする構造とし、この箱体に耐水加工をするとともに、切花挿入用の開口を開設する構造であり、切花を容易、かつ傷付け、枯らすことなく持運びできることを特徴とする。しかし、この考案は、切花の持運びのトラブル解消であり、陳列用のフラワーケースとしての役割を有さない。また、この外箱は上部が開放であり、陳列用のフラワーケースには不向きと考えられる。
【０００８】
【特許文献１】特開２００５−３１３９２９
【特許文献２】特開２００７−２０４１２８
【特許文献３】実開平４−８６７１５号
【発明の概要】
【発明が解決しようとする課題】
【０００９】
以上で説明した、文献（１）〜（３）は、それぞれ意図する問題点のトラブル解消であり、陳列用のフラワーケースとしての役割を有さない。また、文献（１）は、外箱とバケット固定材は、一方のみの係止であり、相互に安定した係止構造とは考えられない改良点がある。さらに、文献（２）、（３）は、この包装ケース本体、又は外箱は、上部が開放であり、陳列用のフラワーケースには不向きと考えられる。
【００１０】
上記に鑑み、本発明は、（イ）  アレンジされた花（フラワー）、及び台座に、外ケースを被嵌する際、このフラワー、及び台座に触れることなく、外ケースを取付けできるので、フラワーの形状を維持し、かつ傷を付けることなくセットできる陳列用のフラワーケースを提供すること、（ロ）  また、フラワーの形状を維持し、かつ傷を付けることなく収容（被嵌）できる陳列用のフラワーケースであり、収容後、又は抜出して、フラワーの形状を修正することを回避しつつ、この修正に要する手間と、気忙しさ、或いは気持ちの動揺を回避すること、（ハ）  さらに、輸送中に、台座、及び／又はフラワーが上に持ち上がることを防止するとともに、この防止により、フラワーの外ケースの天板面への衝止をなくし、前記フラワーの形状の維持と、かつ傷を付けることなくし得る陳列用のフラワーケースを提供すること、等を意図する。
【課題を解決するための手段】
【００１１】
請求項１の発明は、前記（イ）〜（ハ）を達成できる陳列用のフラワーケースを提供することにある。
【００１２】
請求項１は、箱形を呈する台座には、この台座の一組の側面に、それぞれ形成した隙間と、この各隙間の内側面に、それぞれ開設した開口とを設ける構成とし、また、この台座の被嵌用の空間を備えた方形状の外ケースには、この方形状の一組の側面の下側に、それぞれ折曲げ延設した折曲片とを設ける構成とし、
この各折曲片を前記各開口に挿入して係止するとともに、この折曲片の内方側への折曲弾性と、前記台座の内側面の外方側への折曲弾性とを利用し、この折曲片とこの台座の内側面との係止関係を確保可能としたことを特徴とする組立式商品ケースである。
【００１３】
請求項２の発明は、請求項１の（イ）〜（ハ）を達成できる陳列用のフラワーケースを提供すること、そして、また、この目的達成に最適な、台座の隙間構造を提供する。
【００１４】
請求項２は、請求項１に記載の組立式商品ケースであって、
前記台座に形成される各隙間は、左右内外側面で形成し、かつこの左右内側面に対して、この左右外側面が、端尺形態として、前記外ケースの左右折曲片の挿入を許す、口部空間が形状されることを特徴とする組立式商品ケースである。
【００１５】
請求項３の発明は、請求項１の（イ）〜（ハ）を達成できる陳列用のフラワーケースを提供すること、そして、また、この目的達成に最適な、外ケースの折曲片構造を提供する。
【００１６】
請求項３は、請求項１に記載の組立式商品ケースであって、
前記外ケースに折曲げ形成された折曲片は、この外ケースの下側を開口すると共に、この開口の一部を残した延設端部を利用し、この延設端部を折曲げて形成したことを特徴とする組立式商品ケースである。
【００１７】
請求項４の発明は、請求項１の（イ）〜（ハ）を達成できる陳列用のフラワーケースを提供すること、そして、また、この目的達成に最適な、外ケースの開口構造を提供する。
【００１８】
請求項４は、請求項３に記載の組立式商品ケースであって、
前記開口の一部を残した延設端部は、この開口の左右側面に形成し、かつこの開口端部より内側で折曲げ形成するとともに、この左右側面の面方向の幅の一部に形成することを特徴とする組立式商品ケースである。
【００１９】
請求項５の発明は、請求項１の（イ）〜（ハ）を達成できる陳列用のフラワーケースを提供すること、そして、また、この目的達成に最適な、台座と外ケースの素材を提供する。
【００２０】
請求項５は、請求項１に記載の組立式商品ケースであって、
前記台座は、紙製品で、また、前記外ケースを透明樹脂製品で構成したことを特徴とする組立式商品ケースである。
【発明の効果】
【００２１】
請求項１の発明は、箱形を呈する台座には、台座の一組の側面に、それぞれ形成した隙間と、各隙間の内側面に、それぞれ開設した開口とを設ける構成とし、また、台座の被嵌用の空間を備えた方形状の外ケースには、方形状の一組の側面の下側に、それぞれ折曲げ延設した折曲片とを設ける構成とし、
各折曲片を前記各開口に挿入して係止するとともに、折曲片の内方側への折曲弾性と、台座の内側面の外方側への折曲弾性とを利用し、折曲片と台座の内側面との係止関係を確保可能としたことを特徴とする組立式商品ケースである。
【００２２】
従って、この請求項１は、下記の特徴を有する。
（イ）  フラワー、及び台座に、外ケースを被嵌する際、このフラワー、及び台座に触れることなく、外ケースを取付けできるので、フラワーの形状を維持し、かつ傷を付けることなくセットできる陳列用のフラワーケースを提供できること。
（ロ）  また、フラワーの形状を維持し、かつ傷を付けることなく収容できる陳列用のフラワーケースであり、収容後、又は抜出して、フラワーの形状を修正することを回避しつつ、この修正に要する手間と、気忙しさ、或いは気持ちの動揺を回避できること。
（ハ）  さらに、輸送中に、台座、及び／又はフラワーが上に持ち上がることを防止するとともに、この防止により、フラワーの外ケースの天板面への衝止をなくし、前記フラワーの形状の維持と、かつ傷を付けることなくし得る陳列用のフラワーケースを提供できること。
【００２３】
請求項２の発明は、請求項１に記載の組立式商品ケースであって、
台座に形成される各隙間は、左右内外側面で形成し、かつ左右内側面に対して、左右外側面が、端尺形態として、外ケースの左右折曲片の挿入を許す、口部空間が形状されることを特徴とする組立式商品ケースである。
【００２４】
従って、この請求項２は、請求項１の上記（イ）〜（ハ）の特徴の他に、下記の特徴を有する。
（ニ）  （イ）〜（ハ）の目的達成に最適な、台座の隙間構造を提供できること。
【００２５】
請求項３の発明は、請求項１に記載の組立式商品ケースであって、
外ケースに折曲げ形成された折曲片は、外ケースの下側を開口すると共に、開口の一部を残した延設端部を利用し、延設端部を折曲げて形成したことを特徴とする組立式商品ケースである。
【００２６】
従って、この請求項３は、請求項１の上記（イ）〜（ハ）の特徴の他に、下記の特徴を有する。
（ホ）  （イ）〜（ハ）の目的達成に最適な、外ケースの折曲片構造を提供できること。
【００２７】
請求項４の発明は、請求項３に記載の組立式商品ケースであって、
開口の一部を残した延設端部は、開口の左右側面に形成し、かつ開口端部より内側で折曲げ形成するとともに、左右側面の面方向の幅の一部に形成することを特徴とする組立式商品ケースである。
【００２８】
従って、この請求項４は、請求項１の上記（イ）〜（ハ）の特徴の他に、下記の特徴を有する。
（へ）  （イ）〜（ハ）の目的達成に最適な、外ケースの開口構造を提供できること。
【００２９】
請求項５の発明は、請求項１に記載の組立式商品ケースであって、
台座は、紙製品で、また、外ケースを透明樹脂製品で構成したことを特徴とする組立式商品ケースである。
【００３０】
従って、この請求項５は、請求項１の上記（イ）〜（ハ）の特徴の他に、下記の特徴を有する。
（ト）  （イ）〜（ハ）の目的達成に最適な、台座と外ケースの素材を提供できること。
【図面の簡単な説明】
【００３１】
【図１】本発明の組立式商品ケース（フラワーケース）であって、一つの例のフラワーを外ケースに収容した状態の俯瞰斜視図
【図２】本発明のフラワーケースを分解し、組立てた台座と、組立てた外ケースとを示した俯瞰斜視図
【図３】図２に示した台座に、外ケースを被嵌し、台座を外ケースに一体化した状態を示した俯瞰斜視図
【図４】本発明のフラワーケースの外ケースの下側の開口と、折曲片を示した要部拡大図
【図５−１】本発明のフラワーケースの台座の側面（内外側面）を組立てる状態を拡大して示し、その左側より視認した斜視図
【図５−２】本発明のフラワーケースの台座の側面（内外側面）を組立てる状態を拡大して示し、その右側より視認した斜視図
【図６】本発明のフラワーケースの外ケースの下側の開口と、台座の内外側面との関係を示した要部拡大縦断面図
【図７−１】本発明のフラワーケースの台座の一部欠截の拡大展開図
【図７−２】本発明のフラワーケースの他の台座の一部欠截の拡大展開図
【図８】本発明のフラワーケースの外ケースの拡大展開図
【図９】従来のフラワーケースの一例を示した俯瞰斜視図
【発明を実施するための形態】
【００３２】
以下、本発明の好ましい、一実施例を説明する。
【００３３】
Ａは透明、又は半透明樹脂でなる後述する台座の被嵌用（場合により、挿入用）の空間Ｈを備えた外ケースで、この外ケースＡは、図８の展開図で示した外ケース素材１を組立てて構成する。この外ケース素材１は、四つの壁体となる側面を形成する、方形状の連続した第一〜第四側面板部１００〜１０３を主体とする。以下、好ましい、一例を説明すると、この第一側面板部１００は、方形状であり、この第一側面板部１００には、後述する折曲線１１２を介して、略方形状の第二側面板部１０１が設けられる。そして、この第二側面板部１０１（右側面）の上側１０１ａには、折曲線１０４を設け、延設端部を形成する。そして、この延設端部は、この折曲線１０４より折曲げることで蓋片支持板部１０５となる。また、その下側１０１ｂには、この下側１０１ｂのやや内側に、折曲線１０６を設け、延設端部を形成する。そして、この延設端部は、この折曲線１０６より折曲げることで右側の折曲片１０７となる。この折曲片１０７の自由端側左右端部には、掛止耳部１０８，１０８を延設形成する。また、この第二側面板部１０１には、後述する折曲線１１２を介して、略方形状の第三側面板部１０２が設けられる。そして、この第三側面板部１０２の上側１０２ａには、折曲線１０４を設け、延設端部を形成する。そして、この延設端部は、この折曲線１０４より折曲げることで蓋片１０９となる。この蓋片１０９の自由端側には蓋片差込部１１０が延設形成されている。また、第四側面板部１０３（左側面）の上側１０３ａには、折曲線１０４を設け、延設端部を形成する。そして、この延設端部は、この折曲線１０４より折曲げることで蓋片支持板部１０５となる。また、その下側１０３ｂには、この下側１０３ｂのやや内側に、折曲線１０６を設け、延設端部を形成する。そして、この延設端部は、この折曲線１０６より折曲げることで左側の折曲片１０７となる。
【００３４】
尚、折曲線１０４は、第二側面板部１０１〜第四側面板部１０３において、同じ線上に形成する。また、折曲線１０６は、第二側面板部１０１と、第四側面板部１０３において、下側１０１ｂと１０３ｂのやや内側であるが、同じ線上に形成する。従って、この折曲線１０６を利用して、左右側の折曲片１０７、１０７を、外ケース素材１の内側に向かって折曲げることで、この第二側面板部１０１と、第四側面板部１０３の下側１０１ｂと１０３ｂを上げ底２構造とする。
【００３５】
また、図中１１１は、第四側面板部１０３の長手方向の自由端側に設けた取付片である。１１２は、前記第一側面板部１００〜第四側面板部１０３と、又は取付片１１１を、長手方向と直交する短手方向に折曲げるための折曲線を示している。
【００３６】
図８に示した外ケース素材１の展開状態から、他の図１〜図４に示した外ケースＡとする場合には、例えば、三本の折曲線１１２を利用して、第一側面板部１００から第四側面板部１０３を、順次、折畳み、続いて、四本目の折曲線１１２を利用して、取付片１１１を、第一側面板１００の一側に融着か、又は接着する。この加工で、外ケースＡの外郭が形成される。続いて、左右側の第二側面板部１０１と第四側面板部１０３の折曲片１０７を折曲線１０６を利用して、この第二側面板部１０１と、第四側面板部１０３の内側に、それぞれ折曲げることで、この第二側面板部１０１の下側１０１ｂと、第四側面板部１０３の下側１０３ｂは、上げ底２、２が形成される（この第二側面板部１０１の下側１０１ｂと、第四側面板部１０３の下側１０３ｂには、口部空間となる隙間Ｂ形成される）。また、この左右側の折曲片１０７の各掛止耳部１０８は、この第二側面板部１０１と、第四側面板部１０３の内側に、それぞれ設けられる構造である。
【００３７】
また、Ｃは紙製でなる台座で、この台座Ｃは、図７−１の展開図で示した台座素材５を組立てて構成する。この台座素材５は、二つの上下面を形成する、方形状の連続した上下面板部５００、５０１と、この上下面板部５００、５０１を繋ぐ連結側面板部５０２と、この上面板部５００の縦（台座素材５の短手方向）の自由端側５００ａより延設した（台座素材５の長手方向に向かって延設した）側面板部５０３と、前記上下面板部５００、５０１の横（台座素材５の長手方向）の自由端側５００ｂ、５００ｃ、及び５０１ｂ、５０１ｃ（台座素材５の長手方向）より、それぞれ延設した（短手方向に向かって延設した）左右内外側面５０６、５０７、及び５０４、５０５と、また、下面板部５０１の縦の自由端側５０１ａより延設した（台座素材５の長手方向に向かって延設した）糊代片５０８と、を主構成要素とする。そして、この外側面５０４、５０５（同じ構造であり、一方側で説明する）には、その短手方向の自由端に切欠部５０４ａ、５０５ａと、その連結側面板部５０２側に、フック片５０４ｂ、５０５ｂを延設する。また、そして、この内側面５０６、５０７（同じ構造であり、一方側で説明する）には、扁平台形状の開口５０６ａ、５０７ａを開設するとともに、その連結側面板部５０２側に、前記フック片５０４ｂ、５０５ｂが係入される切欠溝５０６ｂ、５０７ｂを設ける。尚、前記上面板部５００の外側面５０４、５０５の折曲げ位置は、下面板部５０１の内側面５０６、５０７の折曲げ位置より外側に形成し、この外内側面５０４、５０５と５０６、５０７との衝突回避と、この外内側面５０４、５０５と５０６、５０７の間に、図６に示した隙間Ｄが形成される。
【００３８】
図７−１に示した台座素材５の展開状態から、他の図１〜図４に示した台座Ｃとする場合には、例えば、上下面板部５００、５０１と、連結側面板部５０２、及び側面板部５０３とを連結する箇所に設けた折曲線５１１を利用して、上下面板部５００、５０１が上下関係になり、かつ、この上下面板部５００、５０１が連結されるようにして、連結側面板部５０２と側面板部５０３とをそれぞれ立上げ、この側面板部５０３に、糊代片５０８を接着する。また、この際に、連結側面板部５０２と側面板部５０３とが立上り、台座Ｃとしての高さと、形状が特定される。一方、上下面板部５００、５０１に設けた内側面５０６、５０７と、外側面５０４、５０５とが、異なる位置にある自由端側５００ｂ、５００ｃと、５０１ｂ、５０１ｃのそれぞれ位置から、折り曲げられるとともに、前記隙間Ｄが形成される。また、この際に、フック片５０４ｂ、５０５ｂが、切欠溝５０６ｂと５０７ｂに差込み支持（維持）される。また、内側面５０６、５０７の開口５０６ａ、５０７ａと、隙間Ｄとが連通し、かつこの開口５０６ａ、５０７ａと、隙間Ｄは、外側面５０４、５０５で隠蔽される。図中５０９は、上面板部５００に設けた花器Ｅ用の穴で、５１０は穴５０９の周辺に設けた切溝である。尚、図７−２の例では、糊代片５０８が扇形に広がった形態であり、この糊代片５０８の肉厚５０８ａは、この台座Ｃを組立てた際に、この肉厚５０８ａに、内側面５０６（５０７）の内面５０６ｃ（５０７ｃ）が衝止し、この内面側５０６の内側への倒れ込みを無くす構造である。
【００３９】
図２に示した組立てた空間Ｈを有する外ケースＡと、台座Ｃを利用して、花器Ｅ付のフラワーＦ（商品）を収容する、好ましい、一例を説明すると、組みつけられた台座Ｃでは、その内外側面５０６、５０７と、５０４、５０５とが重畳され、かつこの内側面５０６、５０７の開口５０６ａ、５０７ａと、隙間Ｄとが連通し、かつこの開口５０６ａ、５０７ａと、隙間Ｄは、外側面５０４、５０５で隠蔽されている。この台座Ｃの穴５０９に花器Ｅ付のフラワーＦをセットするが、その際に、切溝５１０で、花器Ｅの周辺を抱持し、穴５０９に差込むとともに、その底部が下面板部５０１に衝止するか、又は台座Ｃ（上面板部５００）に吊下した状態でセットされる。この台座Ｃと花器Ｅ付のフラワーＦに、組立てた外ケースＡを被嵌する。即ち、台座Ｃの外側面５０４、５０５と、連結側面板部５０２と、側面板部５０３の外側に、外ケースＡの底部Ａ２（下部）の開口部Ａ１を位置させる。この状態が、図２に示されている。この外ケースＡの折曲片１０７、１０７（一方側で説明する）は、折曲線１０６から折曲げられ（内側に９０度以上折曲げる）、第二側面板部１０１と、第四側面板部１０３の内側に位置している。
【００４０】
この台座Ｃに向かって、外ケースＡを、上から、順次被嵌し、台座Ｃの外側面５０４の外側を、外ケースＡの折曲片１０７が押圧されながら下がり（この折曲片１０７が押圧されることで、この折曲片１０７には反力が発生する）、台座Ｃ及び花器Ｅ付のフラワーＦを被嵌する。この被嵌後に、台座Ｃ及び花器Ｅ付のフラワーＦを押上げ、この台座Ｃの外側面５０４の切欠部５０４ａを折曲片１０７が通過した時点で、この折曲片１０７に対する外側面５０４の外側の規制がなくなり（折曲片１０７が復帰することで）、カチッと音がする。このカチッとした音は、この折曲片１０７が、台座Ｃの隙間Ｄに移行したことの証である。そして、この台座Ｃ及び花器Ｅ付のフラワーＦに対する押上げを解除すると、自重で下がり、かつ隙間Ｄにある折曲片１０７は、この台座Ｃの内側面５０６に沿って、その開口５０６ａに導かれるとともに、この折曲片１０７は、開口５０６ａを通過し、規制から解放され、開口５０６ａの裏側（内側面５０６の内側）に到る。そして、この折曲片１０７の掛止耳部１０８が、この開口５０６ａの裏側の近辺に引掛けられる。これにより、外ケースＡと、台座Ｃ及び花器Ｅ付のフラワーＦとがロックされることとなり、例えば、運搬中に、従来の如く、台座Ｃ及び花器Ｅ付のフラワーＦが迫り上がることがなくなる。そして、この台座Ｃと外ケースＡとの組付けは、極めて簡単であり、かつフラワーＦに触れることなく収容できるので、重宝すること、このフラワーＦの形状確保と、損傷することなく、極めて有益である。
【００４１】
以上の操作が終了した時点で、外ケースＡの蓋片支持板部１０５を折曲げ、蓋片１０９とともに、蓋片差込部１１０を折曲げ、開口部Ａ１に差込むことで、図１の如く、台座Ｃ及び花器Ｅ付のフラワーＦの収容が完了する。
【００４２】
そして、本発明では、台座Ｃの内側面５０６は、自由端側５０１ｂで折曲げるので、組立てた状態でも、外方側Ｇ１に自然に元に戻る力（反発力）が働く。尚、図７−２に示した、糊代片５０８が扇形に広がった形態では、この糊代片５０８の肉厚５０８ａが、内側面５０６の内側への倒れ込みを無くし、前記外方側Ｇ１に自然に元に戻る力を確実に保持する構造となっている。一方、外ケースＡの折曲片１０７は、折曲げ形成されることで、その内方側Ｇ２に向かって反発力が付勢される。即ち、この内側面５０６と、この折曲片１０７とは、相反する方向に反発力が働くので、前記ロックの確実性が保証される。従って、迫り上がり防止と、台座Ｃが外ケースＡから外れることもなくなり、有効である。また、台座Ｃ及び花器Ｅ付のフラワーＦが自重で下がることを考慮すると、前記迫り上がり発生することは、皆無である。さらに、本発明は、外ケースＡ内に、台座Ｃを支持する両手を、この外ケースＡ内部に入れることなく作業ができることが特徴である。従って、フラワーＦに両手が触れることはないので、例えば、従来の問題点であった、両手が妨げになって完成した、フラワーＦの形状を変えてしまって手直しと、その作業をなくし得ること、又は破損したりすること、等の問題を改善できる。
【００４３】
また、図示しないが、台座Ｃ及び花器Ｅ付のフラワーＦの取外しは、台座Ｃ及び花器Ｅ付のフラワーＦを下からの押圧と、開口５０６ａと掛止耳部１０８を取外し、上方に押上げ、又は下方に引下げ、折曲片１０７を撓ませて取外す等の方法がある。
【００４４】
尚、台座Ｃは、紙製でなる一例を説明したが、外ケースＡと同じ素材とすることも可能である。
【００４５】
そして、本発明は、フラワーケースに関して説明したが、他のケース、例えば、人形ケース、プラモデルケース、その他の商品レースに関する、多種類の商品にも採用できる構造である。
【００４６】
その他の例として、従来の収容（挿入）と類似するが、次のような操作も可能である（図示せず、説明のみである）。例えば、この台座Ｃと花器Ｅ付のフラワーＦを、組立てた外ケースＡの上部の開口部Ａ１から、空間Ｈに向かって、順次、挿入することも可能であり、この場合には、この外ケースＡの折曲片１０７、１０７（一方側で説明する）は、折曲線１０６から折曲げられ（内側に９０度以上折曲げる）、第二側面板部１０１と、第四側面板部１０３の内側に位置している。この状態の外ケースＡの開口部Ａ１より、組立てられた台座Ｃを挿入するが、この台座Ｃの内外側面５０６、５０７と、５０４、５０５（一方側で説明する）とが重畳され、かつこの内側面５０６の開口５０６ａと、隙間Ｄとが連通し、かつこの開口５０６ａと、隙間Ｄは、外側面５０４で隠蔽されている。
【００４７】
そして、台座Ｃを、さらに外ケースＡの空間Ｈに挿入していくにしたがって（台座Ｃ自身と、この花器Ｅ付のフラワーＦとの自重による挿入か、又は人手による挿入）、この外ケースＡの折曲片１０７が、隙間Ｄに至り、かつ内側面５０６に押圧され、かつ外側面５０４でガードされながら、この内外側面５０６、５０４を下から、上に向かって移動する。この移動過程で、この折曲片１０７に反力が付与される。そして、台座Ｃが、台座Ｃ自身と、この花器Ｅ付のフラワーＦとの自重か、又は人手による押圧で、外ケースＡの底部Ａ２に到ると、台座Ｃの内側面５０６の開口５０６ａに、折曲片１０７が貫通するとともに、その掛止耳部１０８が、内側面５０６の開口５０６ａを通過し、その裏側（内側面５０６の内側）の近辺に引掛けられる。これにより、外ケースＡと、台座Ｃ及び花器Ｅ付のフラワーＦとがロックされることとなり、例えば、運搬中に、従来の如く、台座Ｃ及び花器Ｅ付のフラワーＦが迫り上がることがなくなる。また、前記台座Ｃの開口５０６ａに、折曲片１０７の差込みが困難な場合には、台座Ｃの下面板部５０１を少し押上げることで、折曲片１０７が、この台座Ｃの隙間Ｄから内側面５０６の開口５０６ａに導かれ、かつこの開口５０６ａに挿入されて、カチッと音がする。そして、折曲片１０７の挿入を容易にするために、台座Ｃの外側面５０４の自由端には、切欠部５０４ａが形成されている。
【符号の説明】
【００４８】
Ａ              外ケース
Ａ１            開口部
Ａ２            底部
Ｂ              隙間
Ｃ              台座
Ｄ              隙間
Ｅ              花器
Ｆ              フラワー
Ｇ１            外方側
Ｇ２            内方側
Ｈ              空間
１              外ケース素材
１００          第一側面板部
１０１          第二側面板部
１０１ａ        上側
１０１ｂ        下側
１０２          第三側面板部
１０３          第四側面板部
１０３ａ        上側
１０３ｂ        下側
１０４          折曲線
１０５          蓋片支持板部
１０６          折曲線
１０７          折曲片
１０９          蓋片
１１０          蓋片差込部
１１１          取付片
２              上げ底
５              台座素材
５００          上面板部
５００ａ        自由端側
５００ｂ        自由端側
５００ｃ        自由端側
５０１          下面板部
５０１ａ        自由端側
５０１ｂ        自由端側
５０１ｃ        自由端側
５０２          連結側面板部
５０３          側面板部
５０４          外側面
５０４ａ        切欠部
５０４ｂ        フック片
５０５          外側面
５０５ａ        切欠部
５０５ｂ        フック片
５０６          内側面
５０６ａ        開口
５０６ｂ        切欠溝
５０６ｃ        内面
５０７          内側面
５０７ａ        開口
５０７ｂ        切欠溝
５０７ｃ        内面
５０８          折曲線
５０８ａ        肉厚
５０９          穴
５１０          切溝
【図１】
0005436360.tif 000002
【図２】
0005436360.tif 000003
【図３】
0005436360.tif 000004
【図４】
0005436360.tif 000005
【図５−１】
0005436360.tif 000006
【図５−２】
0005436360.tif 000007
【図６】
0005436360.tif 000008
【図７−１】
0005436360.tif 000009
【図７−２】
0005436360.tif 000010
【図８】
0005436360.tif 000011
【図９】
0005436360.tif 000012